(57)【要約】      （修正有）【課題】髪を確実に束ねることができ、かつ、製造コストを低減することができる髪飾りを提供する。【解決手段】髪飾り１０は、髪を束ねて挟むクリップ部２と、該クリップ部２に装着された装飾部３とを備えている。クリップ部２は、クリップ部材２ａおよびクリップ部材２ｂを有し、軸部２１を介して互いに対向した状態で開閉動するように構成されている。クリップ部材２ａおよびクリップ部材２ｂは、軸部２１を介した両端部に、クリップ片部２２と、把持部２３とがそれぞれ設けられている。装飾部３は、把持部２３の上部（固定面部）に固定された第一の装飾部３ａと、把持部２３の下部に固定された第二の装飾部２ｂとを備えている。【選択図】図２
0003171538.tif 000002
【実用新案登録請求の範囲】
【請求項１】
クリップ部と、前記クリップ部に装着された装飾部とを備え、
前記クリップ部は、軸部と、前記軸部を介して互いに対向した状態で開閉動する一対のクリップ部材からなり、前記クリップ部材は、髪を挟むクリップ片部と軸部を介して前記クリップ片部の端部に設けられた把持部とを有している髪飾りにおいて、
前記装飾部は、前記把持部の上部に固定され、上方からクリップ部を被覆する第一の装飾部と、前記把持部に固定され側方からクリップ片部を被覆する第二の装飾部とを備えていることを特徴とする髪飾り。
【請求項２】
前記クリップ部材は、側面略S字状に形成され、前記把持部はクリップ片部に対して折曲して軸部側方へ延設され、前記第一の装飾部の固定面部を有することを特徴とする請求項１に記載の髪飾り。
【請求項３】
前記クリップ片部は、相互に噛み合って交差しうる複数の櫛歯を有することを特徴とする請求項１に記載の髪飾り。
【請求項４】
前記第一の装飾部は、帯状の布地の両端部がリング状に接合されると共に、幅方向内端部にぐし縫いが施されて全体として花状に形成されたことを特徴とする請求項１に記載の髪飾り。
【請求項５】
前記第二の装飾部は、帯状の布地の両端部がリング状に接合されると共に、幅方向内端部にぐし縫いが施されて全体としてスカート状に形成されたことを特徴とする請求項１に記載の髪飾り。
【考案の詳細な説明】
【技術分野】
【０００１】
本考案は、髪飾りに係り、特に、対向する一対のクリップ部材により構成されたクリップ部を備えた髪飾りに関する。
【背景技術】
【０００２】
従来、頭髪をまとめ上げてヘアスタイルに多様な変化を作り出すためのピン、クリップまたは櫛等の髪止めが提案されている。
より装飾性を高めるために、例えば、コンコルドクリップに造花等の装飾体がマグネットを介して着脱可能に取り付けられた髪飾りが開示されている（特許文献１参照。）
また、対向する一対のクリップ部材が軸部を介して、手で把持する把持部および頭髪に挟む櫛状のクリップ片部を有するクリップ部において、一対のクリップ部材にそれぞれ装飾体が１つずつ取り付けられた髪飾りも開示されている（特許文献２参照）。
【考案の開示】
【考案が解決しようとする課題】
【０００３】
しかしながら、特許文献１の技術では、装飾体がマグネットを介してコンコルドクリップに取り付けられているため、装飾体を容易に付け替えることができるものの、髪を束ねたときの安定性に欠けるという問題がある。
特許文献２の技術では、クリップ部材が櫛状のクリップ片部を有するため確実に髪を束ねることができるものの、把持部がむき出しにならないように、把持部を覆い隠すための布が更に取り付けられたことで構造が複雑となるため、製造コストが嵩むおそれがある。
【特許文献１】実用新案登録第３１２７１９２号公報
【特許文献２】実用新案登録第３１５４３０５号公報
【０００４】
本考案は、髪を確実に束ねることができ、かつ、製造コストを低減することができる髪飾りを提供することを課題とする。
【課題を解決するための手段】
【０００５】
前記課題を解決するために、請求項１の考案にかかる髪飾りは、クリップ部と、前記クリップ部に装着された装飾部とを備え、前記クリップ部は、軸部と、前記軸部を介して互いに対向した状態で開閉動する一対のクリップ部材からなり、前記クリップ部材は、髪を挟むクリップ片部と軸部を介して前記クリップ片部の端部に設けられた把持部とを有している髪飾りにおいて、前記装飾部は、前記把持部の上部に固定され、上方からクリップ部を被覆する第一の装飾部と、前記把持部に固定され側方からクリップ片部を被覆する第二の装飾部とを備えていることを特徴とする。
【０００６】
従って、一対のクリップ部材の把持部を互いに近接方向に寄せることで、クリップ片部が開状態となり、把持部を互いに遠隔方向に離すことでクリップ片部が閉状態となる。
第一の装飾部が上方から把持部を被覆し、第二の装飾部が側方からクリップ片部を被覆することで、把持部およびクリップ片部の露出が防止される。
【０００７】
請求項２の考案にかかる髪飾りは、前記クリップ部材が、側面略S字状に形成され、前記把持部はクリップ片部に対して折曲して軸部側方へ延設され、前記第一の装飾部の固定面部を有することを特徴とする。
【０００８】
従って、第一の装飾部が把持部の固定面部に固定される。
【０００９】
請求項３の考案にかかる髪飾りは、前記クリップ片部は、相互に噛み合って交差しうる複数の櫛歯を有することを特徴とする。
【００１０】
従って、クリップ片部間に髪を挟み閉状態としたときに、複数の櫛歯が相互に噛み合って交差することで、髪束を確実に挟み込む。
【００１１】
請求項４の考案にかかる髪飾りは、前記第一の装飾部は、帯状の布地の両端部がリング状に接合されると共に、幅方向内端部にぐし縫いが施されて全体として花状に形成されたことを特徴とする。
【００１２】
請求項５の考案にかかる髪飾りは、前記第二の装飾部は、帯状の布地の両端部がリング状に接合されると共に、幅方向内端部にぐし縫いが施されて全体としてスカート状に形成されたことを特徴とする。
【考案の効果】
【００１３】
請求項１の考案にあっては、第一の装飾部が上方から把持部を被覆し、第二の装飾部が側方からクリップ片部を被覆することで、把持部およびクリップ片部の露出が防止される。
従って、把持部およびクリップ片部の露出が防止されるので、髪飾りのデザイン性を向上させることができる。
また、把持部等を布で被覆する必要がないため、製造コストを低減することができる。
【００１４】
請求項２の考案にあっては、クリップ部材が側面略S字状に形成され、把持部がクリップ片部に対して折曲して軸部側方へ延設されたことで、把持部を手で把持しやすく、把持部を互いに近接方向に寄せてクリップ片部を開状態とするときに、把持部に力を入れやすい。
また、把持部が第一の装飾部の固定面部を有することで、第一の装飾部を把持部の固定面部に確実に固定することができる。
【００１５】
請求項３の考案にあっては、クリップ片部間に髪を挟み閉状態としたときに、複数の櫛歯が相互に噛み合って交差するため、髪を安定して確実に挟み込むことができる。
【００１６】
請求項４および請求項５の考案にあっては、第一の装飾部が、帯状の布地の両端部がリング状に接合されると共に、幅方向内端部にぐし縫いが施され、
全体としてスカート状に形成されている。
第二の装飾部が、帯状の布地の両端部がリング状に接合されると共に、幅方向内端部にぐし縫いが施され、全体として花状に形成されている。
従って、髪飾りの装飾性を向上させることができる。
【図面の簡単な説明】
【００１７】
【図１】本考案を適用した実施形態の髪飾りの斜視図である。
【図２】本考案を適用した実施形態の髪飾りの側面図である。
【考案を実施するための最良の形態】
【００１８】
以下、図面を参照して、本考案を適用した髪飾りの実施の形態について説明する。
【００１９】
（構成）
図１および図２に示すように、本実施形態の髪飾り１０は、髪を束ねて挟む合成樹脂製のクリップ部２と、クリップ部２に装着された布製の装飾部３とを備えている。
【００２０】
クリップ部２は、クリップ部材２ａおよびクリップ部材２ｂを有している。クリップ部材２ａおよびクリップ部材２ｂは、いずれも側面Ｓ字状に形成されており、軸部２１を介して互いに対向した状態で開閉動するように構成されている。
クリップ部材２ａおよびクリップ部材２ｂは、軸部２１を介した両端部に、髪を挟むクリップ片部２２と、手で把持する把持部２３とがそれぞれ設けられている。クリップ片部２２は複数の櫛歯２２１を有しており、把持部２３はクリップ片部２２に対して折曲して軸部２１の側方へ延設されている。
軸部２１には、把持部２３を互いに遠隔方向へ離しクリップ片部２２を閉状態へ付勢するコイルばねが取り付けられている。把持部２３を互いに近接方向に寄せて押圧することでクリップ片部２２が開状態となる。
クリップ片部２２が開状態にすると、複数の櫛歯２２１が相互に噛み合って交差する。
【００２１】
図１および図２に示すように、装飾部３は、把持部２３の上部（固定面部）に固定された第一の装飾部３ａと、把持部２３の下部に固定された第二の装飾部２ｂとを備えている。
第一の装飾部３ａにより把持部２３が上方から被覆され、第二の装飾部３ｂによりクリップ片部２２が側方から被覆される。
第一の装飾部３ａは、帯状の布地がリング状となるように両端部が接合され、幅方向内端部にぐし縫いが施された花状に形成されている。
第二の装飾部３ｂは、第一の装飾部３ａと同様に、帯状の布地がリング状となるように両端部が接合され、幅方向内端部にぐし縫いが施されたスカート状に形成されている。
【００２２】
（作用等）
次に、本実施形態の髪飾り１０の作用等について、説明する。
本実施形態の髪飾り１０は、クリップ部材２ａおよびクリップ部材２ｂの把持部２３を互いに近接方向に寄せることで、クリップ片部２２が開状態となり、把持部２３を互いに遠隔方向に離すことでクリップ片部２２が閉状態となる。
クリップ片部２２を開状態としたときにクリップ片部２２間に髪束を挟み、クリップ片部２２を閉状態とすることで髪束を確実に束ねることができる。
【００２３】
本実施形態の髪飾り１０は、第一の装飾部３ａが把持部２３を上方から被覆し、第二の装飾部３ｂがクリップ片部を側方から被覆することで、把持部２３およびクリップ片部２２の露出が防止される。
従って、把持部２３およびクリップ片部２２の露出が防止されるので、髪飾り１０のデザイン性を向上させることができる。
また、把持部２３およびクリップ片部２２を布で被覆する必要がないため、製造コストを低減することができる。
【００２４】
また、本実施形態の髪飾り１０は、クリップ部材２ａおよびクリップ部材２ｂが側面略S字状に形成され、把持部２３がクリップ片部２２に対して折曲して軸部２１の側方へ延設されている。
従って、把持部２３を手で把持しやすく、把持部２３を互いに近接方向に寄せて押圧しクリップ片部２２を開状態とするときに、把持部２３を手で持ちやすく把持部２３に力を入れやすい。
【００２５】
更に、本実施形態の髪飾り１０は、軸部２１に、把持部２３を互いに遠隔方向へ離しクリップ片部２２を閉状態へ付勢するコイルばねが取り付けられている。
従って、把持部２３を互いに近接方向に寄せて押圧することでクリップ片部２２が開状態とすることができる。また、クリップ片部２２を閉状態としクリップ片部２２間に髪束を挟み束ね安定した状態を維持することができる。
【００２６】
また更に、本実施形態の髪飾り１０は、クリップ片部２２が複数の櫛歯２２１を有している。
従って、クリップ片部２２間に髪束を挟み閉状態としたときに、複数の櫛歯２２１が相互に噛み合って交差するため、髪束を確実に挟み込むことができる。
【００２７】
更にまた、本実施形態の髪飾り１０は、第一の装飾部３ａが、帯状の布地がリング状となるように両端部が接合され幅方向内端部にぐし縫いが施されることで、全体として花状に形成されている。
第二の装飾部３ｂが、帯状の布地がリング状となるように両端部が接合され幅方向両端部にぐし縫いが施されることで、全体としてスカート状に形成されている。
従って、第一の装飾部３ａおよび第二の装飾部３ｂが全体として複数の花弁が重なった花状となり、髪飾りの装飾性を向上させることができる。
【００２８】
なお、本実施形態では、クリップ部２が合成樹脂製で、装飾部３が布製である例を示したが、本考案はこれに限定されるものではない。例えば、クリップ部２が木製で、装飾部３がビニル製であってもよい。
【産業上の利用可能性】
【００２９】
本考案は、髪を確実に束ねることができ、かつ、製造コストを低減することができる髪飾りを提供するため、髪飾りの製造、販売に寄与するので、産業上の利用可能性を有する。
【符号の説明】
【００３０】
２  クリップ部
３  装飾部
１０  髪飾り
２ａ  クリップ部材
２ｂ  クリップ部材
３ａ  第一の装飾部
３ｂ  第二の装飾部
２１  軸部
２２  クリップ片部
２３  把持部
２２１  櫛歯
【図１】
0003171538.tif 000003
【図２】
0003171538.tif 000004